【手続補正書】
【提出日】平成16年9月22日(2004.9.22)
【手続補正１】
【補正対象書類名】明細書
【補正対象項目名】特許請求の範囲
【補正方法】変更
【補正の内容】
【特許請求の範囲】
【請求項１】
画像情報の入力部、画像表示部、第一通信部、前記入力部への画像情報の入力に自動的に応答して入力画像情報を前記第一通信部から送信させるよう管理する管理部、送信完了まで前記入力画像情報を保持するとともに前記管理部に応答して送信完了後に前記入力画像情報を自動的に破棄する情報保持部、前記画像情報に基づき生成された観賞用として前記画像表示部に表示するための表示用画像情報を含む関連情報を送信完了後も蓄積する情報蓄積部、および前記情報蓄積部に蓄積された関連情報に基き画像情報の処理を前記第一通信部から指示する指示部をもつ画像蓄積装置と、
第二通信部、前記第二通信部で受信した前記第一通信部からの画像情報を蓄積する画像蓄積部、および前記第二通信部で受信した前記第一通信部からの指示に基いて前記画像蓄積部に蓄積した画像に対して指示どおりの処理を行う処理部をもつ支援装置とを有する画像蓄積システム。
【請求項２】
前記画像蓄積装置は、前記入力部に入力された前記画像情報に基いて前記関連情報を作成する情報作成部を有することを特徴とする請求項１記載の画像蓄積システム。
【請求項３】
前記支援装置は、前記第二通信部で受信した前記画像情報に基いて前記関連情報を作成する情報作成部を有し、前記第一通信部は前記第二通信部から前記関連情報を受信することを特徴とする請求項１記載の画像蓄積システム。
【請求項４】
前記情報作成部は前記画像情報に基いて情報量のより少ない表示用像情報を作成することを特徴とする請求項２または３記載の画像蓄積システム。
【請求項５】
前記画像蓄積装置は前記画像情報の個別入力を指示する入力指示部と画像の送信を指示する送信指示部とを有し、前記管理部は前記入力指示部の指示があったときは前記送信指示部の指示がなくても入力画像情報を前記第一通信部から送信させるよう個別の画像情報毎に管理することを特徴とする請求項１記載の画像蓄積システム。
【請求項６】
前記管理部は、前記入力指示部に応答して個別の画像情報毎に送信を開始する第一送信モードと複数の画像情報をまとめて送信する第二送信モードとを有することを特徴とする請求項５記載の画像蓄積システム。
【請求項７】
前記管理部は、前記第一通信部が前記第二通信部に接続中のときは前記第一送信モードで送信を行うとともに、前記第一通信部が前記第二通信部に接続中でないときは前記第二モードで送信を行うよう管理することを特徴とする請求項６記載の画像蓄積システム。
【請求項８】
前記管理部は、前記第一通信部が画像情報のデータ量に基いて通信料を課金されているときは前記第一送信モードで送信を行うよう管理するとともに、前記第一通信部が通信時間に基いて通信料を課金されているときは前記第二モードで送信を行うよう管理することを特徴とする請求項６記載の画像蓄積システム。
【請求項９】
前記管理部は、前記情報保持部に保持される画像情報が所定条件に達したことに応答してこれを前記第一通信部から送信させることを特徴とする請求項１記載の画像蓄積システム。
【請求項１０】
前記管理部は、前回の画像情報送信後、所定時間が経過したときは前記情報保持部に保持される画像情報が前記所定条件に達しなくても画像情報を前記通信部から外部の送信先に送信させるよう管理することを特徴とする請求項９記載の画像蓄積システム。
【請求項１１】
前記管理部は、前記情報保持部に保持される画像情報が前記所定条件に達しなくても所定時刻になったときは画像情報を前記通信部から外部の送信先に送信させるよう管理することを特徴とする請求項９記載の画像蓄積システム。
【請求項１２】
前記所定条件とは前記情報保持部に保持される画像情報の件数が所定件数に達したことであることを特徴とする請求項９から１１のいずれかに記載の画像蓄積システム。
【請求項１３】
前記所定条件とは前記情報保持部に保持される画像情報のデータ量の総和が所定量に達したことであることを特徴とする請求項請求項９から１１のいずれかに記載の画像蓄積システム。
【請求項１４】
画像情報の入力部と、画像表示部と、通信部と、前記入力部への画像情報の入力に自動的に応答して入力画像情報を前記通信部から外部の送信先に送信させるよう管理する管理部と、送信完了まで前記入力画像情報を保持するとともに前記管理部に応答して送信完了後に前記入力画像情報を自動的に破棄する情報保持部と、前記画像情報に基づいて生成された観賞用として前記画像表示部に表示するための表示用画像情報を含む関連情報を送信完了後も蓄積する情報蓄積部と、前記情報蓄積部に蓄積された関連情報に基き前記通信部から前記外部の送信先に画像情報の処理を指示する指示部とを有することを特徴とする画像蓄積装置。
【請求項１５】
前記入力画像情報に基いて前記関連情報を作成する情報作成部を有することを特徴とする請求項１４記載の画像蓄積装置。
【請求項１６】
前記情報作成部は前記入力画像情報に基いて情報量のより少ない表示用画像情報を作成することを特徴とする請求項１５記載の画像蓄積装置。
【請求項１７】
前記通信部は前記関連情報を前記外部の送信先から受信することを特徴とする請求項１４記載の画像蓄積装置。
【請求項１８】
前記通信部は送信された画像情報に基いて送信先で作成された情報量のより少ない表示用画像情報を受信することを特徴とする請求項１７記載の画像蓄積装置。
【請求項１９】
画像情報の入力部と、画像表示部と、通信部と、前記入力部からの入力画像情報の前記通信部から外部の送信先に送信させるよう管理する管理部と、前記入力画像情報に基いて入力後に作成された情報量のより少ない表示用画像情報を蓄積する蓄積部とを有することを特徴とする画像蓄積装置。
【請求項２０】
前記通信部を通じ蓄積部に蓄積された前記情報量のより少ない表示用画像情報に基いて前記外部の送信先に画像情報の処理を指示する指示部を有することを特徴とする請求項１９記載の画像蓄積装置。
【請求項２１】
前記入力画像情報に基いて前記情報量のより少ない表示用画像情報を作成する情報作成部を有することを特徴とする請求項１９または２０記載の画像蓄積装置。
【請求項２２】
前記通信部は、前記情報量のより少ない表示用画像情報を前記入力画像情報が送信された前記外部の送信先から受信することを特徴とする請求項１９または２０記載の画像蓄積装置。
【請求項２３】
前記管理部は、前記画像情報の個別入力を指示する入力指示部と、画像の送信を指示する送信指示部とを更に有し、前記管理部は、前記入力指示部の指示があったときは前記送信指示部の指示がなくても前記入力画像を前記通信部から外部の送信先に送信させるように個別の画像情報毎に管理すること  を特徴とする請求項１９記載の画像蓄積装置。
【請求項２４】
前記管理部は、前記入力指示部に応答して個別の画像情報毎に送信を開始する第一送信モードと複数の画像情報をまとめて送信する第二送信モードとを有することを特徴とする請求項２３記載の画像蓄積装置。
【請求項２５】
前記管理部は、前記通信部が前記外部の送信先に接続中のときは前記第一送信モードで送信を行うとともに、前記通信部が前記外部の送信先に接続中でないときは前記第二モードで送信を行うよう管理することを特徴とする請求項２４記載の画像蓄積装置。
【請求項２６】
前記管理部は、前記通信部が画像情報のデータ量に基いて通信料を課金されているときは前記第一送信モードで送信を行うよう管理するとともに、前記通信部が通信時間に基いて通信料を課金されているときは前記第二モードで送信を行うよう管理することを特徴とする請求項２４記載の画像蓄積装置。
【請求項２７】
前記管理部は、前記入力部に入力される画像情報を保持する情報保持部と、保持された画像情報が所定条件に達したことに応じて前記画像情報を前記通信部から外部の送信先に送信させるように管理することを特徴とする請求項１９記載の画像蓄積装置。
【請求項２８】
前記管理部は、前回の画像情報送信後、所定時間が経過したときは前記情報保持部に保持される画像情報が前記所定条件に達しなくても画像情報を前記通信部から外部の送信先に送信させるよう管理することを特徴とする請求項２７記載の画像蓄積装置。
【請求項２９】
前記管理部は、前記情報保持部に保持される画像情報が前記所定条件に達しなくても所定時刻になったときは画像情報を前記通信部から外部の送信先に送信させるよう管理することを特徴とする請求項２７記載の画像蓄積装置。
【請求項３０】
前記所定条件とは前記情報保持部に保持される画像情報の件数が所定数に達したことであることを特徴とする請求項２７から２９のいずれかに記載の画像蓄積装置。
【請求項３１】
前記所定条件とは前記情報保持部に保持される画像情報のデータ量の総和が所定量に達したことであることを特徴とする請求項請求項２７から２９のいずれかに記載の画像蓄積装置。
【請求項３２】
通信部と、前記通信部で受信した画像情報を蓄積する画像蓄積部と、前記通信部で受信した前記画像情報に基いてサムネイル画像よりも高い解像度の画像を含む関連情報を作成する情報作成部とを有し、前記関連情報を前記通信部より前記画像情報の送信元に送信する
ことを特徴とする画像蓄積の支援装置。
【請求項３３】
前記情報作成部は前記画像情報に基いて情報量のより少ない表示用画像情報を作成することを特徴とする請求項３２記載の支援装置。
【請求項３４】
前記通信部で受信した指示に基いて前記画像蓄積部に蓄積した画像に対して指示どおりの処理を行う処理部を有することを特徴とする請求項３２または３３記載の支援装置。
【手続補正２】
【補正対象書類名】明細書
【補正対象項目名】０００６
【補正方法】変更
【補正の内容】
【０００６】
【課題を解決するための手段】
上記の課題を解決するため、この発明は、画像蓄積装置と支援装置により画像
蓄積システムを構成する。そして、画像蓄積装置には、画像情報の入力部、画像
表示部、第一通信部、入力部への画像情報の入力に自動的に応答して入力画像情
報を第一通信部から送信させるよう管理する管理部、送信完了まで入力画像情報
を保持するとともに管理部に応答して送信完了後に入力画像情報を自動的に破棄
する情報保持部、前記画像情報に基づき生成された観賞用として前記画像表示部
に表示するための表示用画像情報を含む関連情報を送信完了後も蓄積する情報蓄
積部、および情報蓄積部に蓄積された関連情報に基き画像情報の処理を前記第一
通信部から指示する指示部を設ける。一方、支援装置には、第二通信部、第二通
信部で受信した第一通信部からの画像情報を蓄積する画像蓄積部、および第二通
信部で受信した前記第一通信部からの指示に基いて前記画像蓄積部に蓄積した画
像に対して指示どおりの処理を行う処理部を設ける。
【手続補正３】
【補正対象書類名】明細書
【補正対象項目名】０００９
【補正方法】変更
【補正の内容】
【０００９】
この発明の他の特徴によれば、画像情報に基いて情報量のより少ない表示用画
像情報を作成し、これを関連情報として画像蓄積装置の情報蓄積部に蓄積する。
従って、単なる画像の検索や鑑賞など通常の使用の際には、画像蓄積装置の情報
蓄積部に蓄積されている情報量のより少ない表示用画像情報を活用することが可
能である。これによって容量に制限のある画像蓄積装置内の情報蓄積部に所望の
数の画像情報を蓄積することが可能になるほか、画像蓄積装置の表示部による鑑
賞の目的のためには情報量のより少ない表示用画像情報で画質的に十分であるの
で画像サーバなどの支援装置に逐一アクセスしなくても用が足りる。そして、画
像の印刷などより高画質の画像を必要とするときのみ、支援装置にアクセスすれ
ばよい。